(57)【要約】  ラップアラウンドキャリヤ（１５０）及びそのブランク（８）であって、キャリヤの組み立て及びキャリヤ端部の閉鎖を容易にする、上部パネル（８０）、第１の上側側部パネル（６０ａ）、第２の上側側部パネル（６０ｂ）、第１の下側側部パネル（４０ａ）、第２の下側側部パネル（４０ｂ）、底部パネル（１０）及び下側側部端部パネル（５０ａ〜５０ｃ）を有する。
2009502660.tif 000002
【特許請求の範囲】
【請求項１】
ラップアラウンドキャリヤに組み立てるためのブランクであって、
上部パネルと、
第１の上側側部パネルと、
第２の上側側部パネルと、
第１の下側側部パネルと、
第２の下側側部パネルと、
前記第１の下側側部パネル及び前記第２の下側側部パネルの少なくとも一方に折り曲げ可能に接続されている少なくとも１つの底部パネルと、
該ブランクの第１の周辺領域の第１の上部端部蓋と、
該ブランクの第２の周辺領域の第２の上部蓋と、
前記第１の下側側部パネルに折り曲げ可能に接続されている第１の側部端部フラップであって、第１のベース部分と、該第１のベース部分から、前記第１の上部端部蓋から離れる方向に延出している第１の突出部分とを有する、第１の側部端部フラップと
を備える、ブランク。
【請求項２】
最初に、前記第１の突出部分は、前記第１のベース部分から離れる方向に先細になる、請求項１に記載のブランク。
【請求項３】
前記少なくとも１つの底部パネルは、第１の底部パネルを有し、前記ブランクは、該第１の底部パネルに折り曲げ可能に接続されている第１の底部端部フラップをさらに備える、請求項１又は２に記載のブランク。
【請求項４】
前記第１の突出部分は、前記第１の底部端部フラップの側縁部の隣りで延在する、請求項３に記載のブランク。
【請求項５】
前記第１の突出部分は、第１の切断線によって前記第１の底部端部フラップから分離される、請求項４に記載のブランク。
【請求項６】
前記第１の突出部分は、前記第１の下側側部パネルの隣りの第１のベベルコーナーによって少なくとも部分的に画定される、請求項１〜５のいずれか１項に記載のブランク。
【請求項７】
前記少なくとも１つの底部パネルは、第１の底部パネルを有し、前記ブランクは、該第１の底部パネルに折り曲げ可能に接続されている第１の底部端部フラップをさらに備え、前記第１の突出部分は、該第１の底部端部フラップの側縁部の隣りに延在する、請求項６に記載のブランク。
【請求項８】
前記第１の側部端部フラップの前記第１のベース部分は、ほぼ矩形である、請求項１〜７のいずれか１項に記載のブランク。
【請求項９】
前記第１の下側側部パネルは、ほぼ平行な複数の折り線によって画定される第１のベベルパネルを有し、前記第１の突出部分は、該第１のベベルパネルの隣りに延在する、請求項１〜８のいずれか１項に記載のブランク。
【請求項１０】
前記第２の下側側部パネルに折り曲げ可能に接続されている第２の側部端部フラップをさらに備え、該第２の側部端部フラップは、第２のベース部分、及び該第２のベース部分から、前記第１の上部端部蓋から離れる方向に延出している第２の突出部分を有する、請求項１〜９のいずれか１項に記載のブランク。
【請求項１１】
前記第２の突出部分は、前記第２のベース部分から離れる方向に先細になる、請求項１０に記載のブランク。
【請求項１２】
前記少なくとも１つの底部パネルは、第２の底部パネルを有し、前記ブランクは、前記第１の底部パネルに折り曲げ可能に接続される第２の底部端部フラップをさらに備え、また、前記第２の突出部分は、前記第２の底部端部フラップの側縁部の隣りに延在する、請求項１１に記載のブランク。
【請求項１３】
前記第２の突出部分は、複数のベベルコーナーによって少なくとも部分的に画定される、請求項１０に記載のブランク。
【請求項１４】
前記第１の下側側部パネルに折り曲げ可能に接続されている第３の側部端部フラップと、
前記第２の下側側部パネルに折り曲げ可能に接続されている第４の側部端部フラップと
をさらに備える、請求項１０に記載のブランク。
【請求項１５】
前記第３の側部端部フラップは、第３のベース部分と、該第３のベース部分から、前記第２の上部端部蓋から離れる方向に延出している第３の突出部分とを有する、請求項１４に記載のブランク。
【請求項１６】
前記第３の突出部分は、前記第３のベース部分から離れる方向に先細になる、請求項１５に記載のブランク。
【請求項１７】
前記第１の上部端部蓋は、
前記上部パネルに折り曲げ可能に接続されている上部端部フラップと、
前記第１の上側側部パネルに折り曲げ可能に接続されている第１の内側折り込みガセットパネルと、
前記第１の内側折り込みガセットパネルに折り曲げ可能に接続されている第１の外側折り込みガセットパネルと
を有する、請求項１〜１６のいずれか１項に記載のブランク。
【請求項１８】
前記第１の内側折り込みガセットパネルは、切り込み及び切れ目で前記第１の側部端部フラップに接続される、請求項１７に記載のブランク。
【請求項１９】
前記少なくとも１つの底部パネルは、
前記第１の下側側部パネルに折り曲げ可能に接続される第１の底部パネルと、
前記第２の下側側部パネルに折り曲げ可能に接続される第２の底部パネルと、
前記第１の底部パネルを前記第２の底部パネルに固定するための手段と
を有する、請求項１〜１８のいずれか１項に記載のブランク。
【請求項２０】
前記上部パネル内の少なくとも１つのディスペンサフラップと、
前記第１の下側側部パネルの隣りに少なくとも１つのヒール切り抜き部と、
前記第２の下側側部パネルの隣りに少なくとも１つのヒール切り抜き部と
をさらに備える、請求項１９に記載のブランク。
【請求項２１】
ラップアラウンドキャリヤに組み立てるためのブランクであって、
上部パネルと、
前記上部パネルに折り曲げ可能に接続される第１の上側側部パネルと、
前記上部パネルに折り曲げ可能に接続される第２の上側側部パネルと、
前記第１の上側側部パネルに折り曲げ可能に接続されている第１の下側側部パネルであって、ほぼ平行な複数の折り線によって画定される第１のベベルパネルを有する、第１の下側側部パネルと、
前記第２の上側側部パネルに折り曲げ可能に接続されている第２の下側側部パネルであって、ほぼ平行な複数の折り線によって画定される第２のベベルパネルを有する、第２の下側側部パネルと、
前記第１の下側側部パネル及び前記第２の下側側部パネルの少なくとも一方に折り曲げ可能に接続されている少なくとも１つの底部パネルと、
該ブランクの第１の周辺領域の第１の上部端部蓋と、
該ブランクの第２の周辺領域の第２の上部端部蓋と、
前記第１の下側側部パネルに折り曲げ可能に接続されている第１の側部端部フラップであって、第１のベース部分と、該第１のベース部分から、前記第１の上部端部蓋から離れる方向に延出している第１の突出部分とを有し、該第１の突出部分は、前記第１の上部端部蓋から離れる方向に先細になり、また、前記第１の突出部分は、前記第１のベベルパネルの隣りに延在する、第１の側部端部フラップと
を備える、ブランク。
【請求項２２】
前記少なくとも１つの底部パネルは、第１の底部パネルを有し、前記ブランクは、該第１の底部パネルに折り曲げ可能に接続されている第１の底部端部フラップをさらに備え、また、前記第１の突出部分は、前記第１の底部端部フラップの側縁部の隣りに延在する、請求項２１に記載のブランク。
【請求項２３】
前記第１の突出部分は、第１のベベルコーナーによって少なくとも部分的に画定される、請求項２１又は２２に記載のブランク。
【請求項２４】
前記第２の下側側部パネルに折り曲げ可能に接続されている第２の側部端部フラップをさらに備え、該第２の側部端部フラップは、第２のベース部分、及び該第２のベース部分から、前記第１の上部端部蓋から離れる方向に延出している第２の突出部分を有し、また、前記第２の突出部分は、前記第１の上部端部蓋から離れる方向に先細になる、請求項２１〜２３のいずれか１項に記載のブランク。
【請求項２５】
前記第２の下側側部パネルに折り曲げ可能に接続されている第３の側部端部フラップであって、第３のベース部分と、該第３のベース部分から延出している第３の先細突出部分とを有する、第３の側部端部フラップと、
前記第２の下側側部パネルに折り曲げ可能に接続されている第４の側部端部フラップであって、第４のベース部分と、該第４のベース部分から、前記第２の上部端部蓋から離れる方向に延出している第４の先細突出部分とを有する、第４の側部端部フラップと
をさらに備える、請求項２４に記載のブランク。
【請求項２６】
前記第１の上部端部蓋は、
前記上部パネルに折り曲げ可能に接続されている上部端部フラップと、
前記第１の上側側部パネルに折り曲げ可能に接続されている第１の内側折り込みガセットパネルと、
該第１の内側折り込みガセットパネルに折り曲げ可能に接続されている第１の外側折り込みガセットパネルと
を有する、請求項２１〜２６のいずれか１項に記載のブランク。
【請求項２７】
前記第１の内側折り込みガセットパネルは、切り込み及び切れ目で前記第１の側部端部フラップに接続される、請求項２６に記載のブランク。
【請求項２８】
前記上部パネル内の少なくとも１つのディスペンサフラップと、
前記第１の下側側部パネルの隣りに少なくとも１つのヒール切り抜き部と、
前記第２の下側側部パネルの隣りに少なくとも１つのヒール切り抜き部と
をさらに備える、請求項２１〜２７のいずれか１項に記載のブランク。
【請求項２９】
カートンと、
前記カートン内に配置される複数の容器と
を備えるキャリヤであって、前記カートンは、
上部パネルと、
第１の上側側部パネルと、
該キャリヤの、前記第１の上側側部パネルと対向して配置される第２の上側側部パネルと、
第１の下側側部パネルと、
該キャリヤの、前記第１の下側側部パネルと対向して配置される第２の下側側部パネルと、
第２の底部パネルに固定される第１の底部パネルを有する底部パネルと、
該キャリヤの第１の端部の第１の端部蓋であって、該第１の端部蓋は、前記第１の下側側部パネルに折り曲げ可能に接続されている第１の側部端部フラップを有し、該第１の側部端部フラップは、前記底部パネルの隣りに位置にある第１の底部縁部を有する、第１の端部蓋と、
該キャリヤの第２の端部の第２の端部蓋と
を有する、キャリヤ。
【請求項３０】
前記第１の側部端部フラップは、第１のベース部分及び第１の突出部分を有し、前記第１の底部縁部は、前記第１の突出部分の底部縁部である、請求項２９に記載のキャリヤ。
【請求項３１】
前記第１の突出部分は、第１のベベルコーナーによって少なくとも部分的に画定される、請求項３０に記載のキャリヤ。
【請求項３２】
前記第１の側部端部フラップの前記第１のベース部分は、ほぼ矩形である、請求項３０に記載のキャリヤ。
【請求項３３】
前記第１の下側側部パネルは、ほぼ平行な複数の折り線によって画定されている第１のベベルパネルを有し、前記第１の突出部分は、前記第１のベベルパネルの隣りに延在する第１のベベルコーナーによって少なくとも部分的に画定される、請求項３０に記載のキャリヤ。
【請求項３４】
前記第１のベベルパネルは、前記底部パネルに対して第１の角度をなし、前記第１のベベルコーナーは、前記底部パネルに対して第２の角度をなし、前記第１の角度は、前記第２の角度以上の大きさである、請求項３３に記載のキャリヤ。
【請求項３５】
最初に、前記第１の側部端部フラップは、前記底部パネルの近くで先細になる、請求項２９〜３４のいずれか１項に記載のキャリヤ。
【請求項３６】
前記第１の端部蓋は、前記第２の側部パネルに折り曲げ可能に接続されている第２の側部端部フラップを有し、該第２の側部端部フラップは、前記底部パネルの隣りに位置する第２の底部縁部を有する、請求項２９〜３５のいずれか１項に記載のキャリヤ。
【請求項３７】
前記第１の底部縁部は、前記底部パネルに当接する、請求項２９〜３６のいずれか１項に記載のキャリヤ。
【請求項３８】
前記第２の端部蓋は、
前記第１の下側側部パネルに折り曲げ可能に接続されている第３の側部端部フラップであって、該第３の側部端部フラップの第３の底部縁部は、前記底部パネルの隣りに、第３の側部端部フラップと、
前記第２の下側側部パネルに折り曲げ可能に接続されている第４の側部端部フラップと
を有する、請求項２９〜３７のいずれか１項に記載のキャリヤ。
【請求項３９】
前記第１の端部蓋は、
前記上部パネルに折り曲げ可能に接続されている上部端部フラップと、
前記第１の上側側部パネルに折り曲げ可能に接続されている第１の内側折り込みガセットパネルと、
該第１の内側折り込みガセットパネルに折り曲げ可能に接続されている第１の外側折り込みガセットパネルと
をさらに有する、請求項２９〜３８のいずれか１項に記載のキャリヤ。
【請求項４０】
前記第１の内側折り込みガセットパネルは、切り込み及び切れ目で前記第１の側部端部フラップに接続される、請求項３９に記載のキャリヤ。
【請求項４１】
前記上部パネル内の少なくとも１つのディスペンサフラップと、
前記第１の下側側部パネルの隣りに少なくとも１つのヒール切り抜き部と、
前記第２の下側側部パネルの隣りに少なくとも１つのヒール切り抜き部と
をさらに備える、請求項２９〜４０のいずれか１項に記載のキャリヤ。
【請求項４２】
前記複数の容器は、少なくとも縦２列及び少なくとも横３列に配置された少なくとも６本の容器である、請求項２９〜４１のいずれか１項に記載のキャリヤ。
【発明の詳細な説明】
【技術分野】
【０００１】
［関連出願］
本願は、２００５年７月２２日に出願された米国特許出願第６０／７０１，６４４号の利益を主張し、その内容全体は参照によって本明細書に援用される。
【背景技術】
【０００２】
［背景］
ラップアラウンドキャリヤは、ブランクを容器群の周囲に巻き付けて、ブランクの端部を留め合わせることによって形成される。容器は、緊密に巻き付けられたキャリヤによって、また、容器の底部部分を挿通させるヒール切り抜き部によって所定位置に保持される。従来のキャリヤは、一般的に容器を十分には包み込まない開放端部を有する。従来のキャリヤはまた、組み立てが困難な場合がある。
【発明の開示】
【課題を解決するための手段】
【０００３】
［概要］
本発明の第１の実施形態によれば、キャリヤパッケージは、カートン及び複数の容器を有する。カートンは、上部パネルと、第１の上側側部パネルと、第２の上側側部パネルと、第１の下側側部パネルと、第２の下側側部パネルと、底部パネルと、キャリヤの第１の端部の第１の端部蓋と、キャリヤの第２の端部の第２の端部蓋とを有する。端部蓋は、それぞれの下側側部パネルに折り曲げ可能に接続される側部端部フラップを有することができ、側部端部フラップは、底部パネルの隣りの位置にある底部縁部を有する。カートンの組み立て中、側部端部フラップの底部縁部は、カートンを所望形状にする（たとえば、カートンを「垂直に起立させる(squaring up)」にする）働きをすることができる。側部端部フラップ及び上部端部蓋は、カートンの端部をほぼ包み込む働きをする。
【０００４】
添付図面を参照して実施形態の以下の詳細な説明を読めば、上述の利点及び他の利点、並びに種々なさらなる実施形態の利益が当業者には理解されるであろう。
【０００５】
通常のやり方に従って、以下に記載する図面のさまざまな特徴は、必ずしも一定の縮尺で描かれていない。本発明の実施の形態をより明らかに図示するために、図中のさまざまな機能部及び要素の寸法は、拡大又は縮小されるであろう。
【発明を実施するための最良の形態】
【０００６】
本発明は概して、物品のキャリアに関する。物品は、例えば飲料ボトル、ＰＥＴ容器等の飲料容器、又は食品の包装に使用されるもの等の他の容器も含むことができる。説明のためであって、本発明の範囲を制限するためではないが、以下の詳細な説明は、本カートンの実施の形態内に配置されたボトル飲料容器を記載する。本明細書において、「下方」、「底部」、「側部」、「上方」及び「上部」という相対的な用語は、完全に組み立てられたカートンに関して決定される向きを表す。
【０００７】
図１は、本発明の第１の実施形態によるキャリヤ１５０（図５〜図７に示す）を形成するために使用されるブランク８の第１の内側５の平面図である。ブランク８の第１の側５は、組み立てられたキャリヤ１５０の内側に配置されるであろう。図１に示すように、ブランク８は、長手方向中心線ＣＬに関して対称的又はほぼ対称的であると共に、横方向中心線ＣＴに関して部分的に対称的であってもよい。したがって、長手方向及び／又は横方向対称性を反映するために、図中の一定の構成要素は、同様又は同一の参照番号で表される。
【０００８】
ブランク８は、横方向折り線２１で第１の下側側部パネル４０ａに折り曲げ可能に接続される第１の底部パネル１０と、横方向折り線６２ａで第１の下側側部パネル４０ａに折り曲げ可能に接続される第１の上側側部パネル６０ａと、横方向折り線８２ａで第１の上側側部パネル６０ａに折り曲げ可能に接続される上部パネル８０と、横方向折り線８２ｂで上部パネル８０に折り曲げ可能に接続される第２の上側側部パネル６０ｂと、横方向折り線６２ｂで第２の上側側部パネル６０ｂに折り曲げ可能に接続される第２の下側側部パネル４０ｂと、横方向折り線１２１で第２の下側側部パネル４０ｂに折り曲げ可能に接続される第２の底部パネル１００とを有する。第１の下側側部パネル４０ａは、平行な横方向折り線２１、３２ａによって画定される第１のベベルパネル３０ａを有することができる。第２の下側側部パネル４０ｂは、平行な横方向折り線１２１、３２ｂによって画定される第２のベベルパネル３０ｂを有することができる。
【０００９】
第１の底部端部フラップ１６ａ及び第２の底部端部フラップ１６ｂが、第１の底部パネル１０の対向する両端部に折り曲げ可能に接続される。第１の側部端部フラップ５０ａ及び第３の側部端部フラップ５０ｃが、それぞれ長手方向折り線４６ａ、４６ｃで第１の下側側部パネル４０ａの対向する両端部に折り曲げ可能に接続され、第２の側部端部フラップ５０ｂ及び第４の側部端部フラップ５０ｄが、それぞれ長手方向折り線４６ｂ、４６ｄで第２の下方側部パネル４０ｂの対向する両端部に折り曲げ可能に接続される。側部端部フラップ５０ａ〜５０ｄの１つ又は複数は、図２を参照しながらさらに詳細に後述するように、キャリヤ１５０の組み立てを容易にする形状及びサイズでよい。
【００１０】
第１の上部端部蓋７０ａが、ブランク８の第１の周辺領域に沿って配置され、折り線７７ａに沿って第１の上側側部パネル６０ａ及び第２の上側側部パネル６０ｂと上部パネル８０とに折り曲げ可能に接続される。第１の上部端部蓋７０ａは、上部端部フラップ７６と、上部端部フラップ７６に折り曲げ可能に接続される接着フラップ８２と、第１の上側側部パネル６０ａに折り曲げ可能に接続される第１の内側折り込みガセットパネル７２ａと、第１の内側折り込みガセットパネル７２ａに折り曲げ可能に接続されると共に上部端部フラップ７６に折り曲げ可能に接続される第１の外側折り込みガセットパネル７４ａと、第２の上側側部パネル６０ｂに折り曲げ可能に接続される第２の内側折り込みガセットパネル７２ｂと、第１の内側折り込みガセットパネル７２ｂ及び上部端部フラップ７６に折り曲げ可能に接続される第２の外側折り込みガセットパネル７４ｂとを有する。第２の上部端部蓋７０ｂが、ブランク８の第２の周辺領域に沿って配置されて、折り線７７ｂに沿って折り曲げ可能に接続される。第２の上部端部蓋７０ｂは、第１の上部端部蓋７０ａと同様又は同一の形状を有してもよい。
【００１１】
上部パネル８０は、上部パネル内の破断可能な分断線によって画定される第１のディスペンサフラップ９０ａ及び第２のディスペンサフラップ９０ｂを有してもよい。第１のディスペンサフラップ９０ａ及び第２のディスペンサフラップ９０ｂは、それぞれ上部端部蓋７０ａ、７０ｂの隣りの上部パネル８０に沿って延在する。第１のディスペンサフラップ９０ａは、引き裂き線９２ａによって画定されており、ディスペンサフラップ９０ａを開きやすくするために、一端部にアクセスフラップ９４ａを有してもよい。第２のディスペンサフラップ９０ｂは、引き裂き線９２ｂによって画定されており、アクセスフラップ９４ｂを有してもよい。
【００１２】
第１の底部パネル１０は、完成したキャリヤ１５０内の内側底部パネルフラップであって、第２の底部パネル１００上の一次雄ロックタブ突起１３２に係合するようになっている一次雌ロック縁部１７を形成する複数の切り抜き部を有する。第１の底部パネル１０は、第２の底部パネル１００の二次の外側ロックタブ突起１３０を受け取るようになっている複数のスリット１８も有する。第２の底部パネル１００は、完成したキャリヤ１５０の外側底部パネルであって、一次雄ロックタブ突起１３２を画定するスリットによって中断される横方向折り線１３４を有する。ブランク８のロック構成要素は、本発明のキャリヤに使用するのに適する一般的な底部パネルロック構造を明示するために図示されているが、任意の有効な所望形状の底部パネルロック手段を用いてもよいことは、理解されたい。
【００１３】
複数のヒール切り抜き部２０を第１の底部パネル１０及び第１のベベルパネル３２ａに切り込むことができる。各ヒール切り抜き部２０は、キャリヤ１５０内に装填された容器Ｃの底部外周縁部を受け取ることができるサイズである。同様に、複数のヒール切り抜き部１２０を第２の底部パネル１００及び第２のベベルパネル３２ｂ内に切り込むことができる。図１において、ブランク８は、各底部パネル１０、１００内に５つのヒール切り抜き部を有しており、これらは、１０本の容器を２×５（縦２列横５列）配置に収容するように構成されている。
【００１４】
本発明の一態様によれば、端部フラップ５０ａ〜５０ｄ、１６ａ、１６ｂ及び上部端部蓋７０ａ、７０ｂは、カートン１５０の端部を全体的に、又はおおむね包囲すると共にカートンを組み立てやすくするように構成されてもよい。図２は、第１の側部端部フラップ５０ａを詳細に示す。側部端部フラップ５０ｂ〜５０ｄは同様な構造を有してもよく、簡潔にするために詳細には説明しない。第１の側部端部フラップ５０ａは、長手方向に延びた折り線４６ａで第１の下側側部パネル４０ａに折り曲げ可能に接続される。側部端部フラップ５０ａは、ベース部分５１及び突出部分５２を有する。突出部分５２は、斜めすなわちベベルコーナー５３、５４及び底部縁部５６によって一部が画定される。ベベルコーナー５３、５４は、ベース部分５１から離れる方向に先細になる平面表面積（a plan surface area:平面領域）を突出部分５２に与える。ベース部分５１も、上縁部５７の隣りのベベルすなわち斜め上コーナー５５を有する。さらに詳細に後述するように、突出部分５２はカートンの端部を閉鎖しやすくする。
【００１５】
図９を参照しながら後述するように、第１の側部端部フラップ５０ａの傾斜コーナー５３は、折り線４６ａに対して、ベベルパネル３０ａが組み立て済みキャリヤ１５０の垂直線に対してなす角度とほぼ同じ又はそれより小さくてよい角度αをなして傾斜してもよい。底部縁部５６は、第１の底部端部フラップ１６ａにすぐ隣りでもよく、また、第１の底部端部フラップ１６ａ及び第１の側部端部フラップ５０ａ間の分離は、たとえば切断線でよい。フラップ１６ａ及び第１の側部端部フラップ５０ａ間の切断線は、長手方向において、第１のベベルパネル３０ａを画定する折り線２１、３２ａ間に位置してもよい。切断線の位置、したがって第１の側部端部フラップ５０ａの底部縁部５６の位置は、底部縁部５６が組み立て済みキャリヤ１５０の底部パネルから所望距離の位置にあるように選択されてもよい。その距離は、たとえばキャリヤの端部の所望の閉鎖しやすさが得られるように選択されてもよい。
【００１６】
第１の側部端部フラップ５０ａ及び第１の内側折り込みガセットパネル７２ａの折り曲げ接続部に、切り込み１０２及び切れ目１０４が設けられる。切り込み１０２のすぐ上方で、ブランク８の縁部は、切り込み１０２の隣りに小さいアール部分１０６を有してもよい。側部端部フラップ５０ｂ、５０ｃ、５０ｄとそれぞれ対応する内側折り込みパネル７２ｂ、７２ｃ、７２ｄとの接続部も、図２に示すような切り込み／切れ目接続部でよい。各折り曲げ可能な接続部の切り込み１０２、切れ目１０４及びアール部分１０６は、さらに詳細に後述するように、カートン１５０の組み立て中にパネル７２ａ、７２ｂ、７２ｃ、７２ｄ、７４ａ、７４ｂ、７４ｃ、７４ｄを内向きに折り曲げやすくする。
【００１７】
次に、図１〜図６を参照しながら、カートン１５０の組み立てを説明する。まず、複数の容器Ｃを２×５配列に配置し、上部パネル８０が容器Ｃの上部と接触するまで、ブランク８を容器Ｃ上に降ろす。次に、容器Ｃの底部がヒール切り抜き部２０、１２０内に部分的に保持されるまで、ブランク８の側部を内向きに折り曲げる。次に、部分的に組み立てられたカートン及び容器を９０度回転させ、それにより、第１の底部パネル１０及び第２の底部パネル１００を噛み合わせることができるようにする。底部パネル１０、１００は、第１の底部パネル１０の一次雌ロック縁部１７を第２の底部パネル１００の一次雄ロックタブ１３２に係合させることによって固定される。次に、第２の底部パネル１００の二次の外側ロックタブ１３０をスリット１８に押し込む。図３は、底部パネル１０、１００を噛み合わせた後の部分的組み立て状態のキャリヤ１５０を示し、容器Ｃがブランク８内に包み込まれている。
【００１８】
図４及び図５を参照すると、内側折り込みガセットパネル７２ａ、７２ｂ及び外側折り込みガセットパネル７４ａ、７４ｂを内向きに折り曲げ、上部端部フラップ７６を下向きに折り曲げることにより、第１の上部端部蓋７０ａが閉じられる。第１の側部端部フラップ５０ａ及び第２の側部端部フラップ５０ｂを内向きに回転させる。接着フラップ８２を第１の側部端部フラップ５０ａ及び第２の側部端部フラップ５０ｂに固定することにより、上部端部蓋７０ａを固定する。第１の底部端部フラップ１６ａを上向きに折り曲げて、やはり側部端部フラップ５０ａ、５０ｂの外側に固定する。フラップは、たとえば糊又は他の接着剤を使用して固定されてもよい。上部端部蓋７０ａ、側部端部フラップ５０ａ、５０ｂ及び第１の底部端部フラップ１６ａを閉鎖することにより、図５に示すように、キャリヤ１５０の第１の端部をほぼ閉鎖することができる第１の端部蓋１４０ａが形成される。上部端部蓋７０ｂ、第３の側部端部フラップ５０ｃ、第４の側部端部フラップ５０ｄ及び第２の底部端部フラップ１６ｂから第２の端部蓋１４０ｂを形成することによって、キャリヤ１５０の第２の端部を同様に閉鎖してもよい。図６は、組み立て済みキャリヤ１５０の斜視図である。図７は、第１の端部蓋１４０ａ及び第２の端部蓋１４０ｂを示す側面図であり、図８は、キャリヤ１５０の底面図である。図８に示すように、底部パネル１０、１００を留め合わせるとき、それらは底部パネル１２５を形成する。本発明の一態様によれば、パネル対５０ａ、７２ａ、５０ｂ、７２ｂ、５０ｃ、７２ｃ及び５０ｄ、７２ｄの接続部の切れ目１０４及び切り込み１０２により、カートン１５０の端部の閉鎖が容易になる。側部端部パネル５０ａ、５０ｂ、５０ｃ、５０ｄの底部の斜めすなわちベベルコーナー５３、５４により、カートンの端部を閉鎖するためにパネルを内向きに回転させやすくなる。パネル５０ａ、５０ｂ、５０ｃ、５０ｄの底部縁部５６が、底部パネル１０、１００に十分に接近し、それにより、パネル５０ａ、５０ｂ、５０ｃ、５０ｄを内向きに回転させたとき、パネルが表面に当接する、又は表面に沿って摺動して、カートンを「垂直に」させる(squared)ことができるようにしてもよい。言い換えると、側部端部パネル４０ａ、４０ｂは、側部端部パネル５０ａ、５０ｂ、５０ｃ、５０ｄの閉鎖によってほぼ垂直に整列する位置へ移動する。
【００１９】
図９は、キャリヤ１５０の第１の端部の部分分解図であり、第１の底部フラップ１６ａを取り除いて、側部端部フラップ５０ａ、５０ｂが見えるようにしている。図９は、底部パネル１２５に対する第１の側部端部フラップ５０ａ及び第２の側部端部フラップ５０ｂの関係を示す。第１の側部端部フラップ５０ａ及び第２の側部端部フラップ５０ｂは、キャリヤ１５０の対向する端部の第３の側部端部フラップ５０ｃ及び第４の側部端部フラップ５０ｄと共に、下方に延出して、底部パネル１２５に隣接及び／又は当接するようになっている。たとえば、側部端部フラップ５０ａの底部縁部５６は、底部パネル１２５にほぼ平行且つ当接する又は隣りになることができる。ブランク８は、キャリヤ１５０を組み立てたとき、側部端部フラップ５０ａ、５０ｂ、５０ｃ、５０ｄの各々の底部端部５６が、底部パネル１２５の隣りに、且つ／又は部分的又は全体的に当接するような寸法にすることができる。フラップ５０ａ、５０ｂ、５０ｃ、５０ｄの底部縁部５６及び表面間の接触は、組み立て中にキャリヤを垂直にさせる働きをする。また、組み立て済みキャリヤ１５０がねじり又は不均衡な軸方向荷重を受けるとき、側部端部フラップ５０ａ、５０ｂ、５０ｃ、５０ｄの底部縁部５６と底部パネル１２５との相互作用が、キャリヤ１５０を安定化及び補強することができる。
【００２０】
側部端部フラップ５０ａ、５０ｂの傾斜コーナー５３を、図１にも示すように、底部パネル１２５に対して角度αで傾斜させてもよい。角度αは、たとえば、ベベルパネル３０ａ、３０ｂが底部パネル１２５に対してなす角度βとほぼ同じか、それより小さくてもよい。したがって、側部端部フラップ５０ａ、５０ｂは、ベベルパネル３０ａ、３０ｂを越えて延出しないで、キャリヤ１５０の端部輪郭内に留まる。第２の端部蓋１４０ｂの第３の側部端部パネル５０ｃ及び第４の側部端部パネル５０ｄは、第１の側部端部パネル５０ａ及び第２の側部端部パネル５０ｂと同様又は同一の構造を有してもよい。
【００２１】
［例１］
図６〜図８に示すキャリヤ１５０が、１０本の２５ｃｌ瓶を２×５配置で収容した。キャリヤは、高さが約６．２５インチ（約１５．８７ｃｍ）、長さが約１１．７５インチ（約２９．８４ｃｍ）であった。キャリヤは、板紙で構成された。折り線４６ａ〜４６ｄ、４８、７７ａ、７７ｂ、５８は、切れ目がブランク８を貫通する（すなわち、１００％切れ目の）切れ目／離間線であった。折り線３２、６２ａ、８２ａ、１０２、６２ｂ、８２ｂは折り目線であった。切れ目１０４は、１００％切れ目であった。
【００２２】
上記の実施形態において、キャリヤ１５０は、飲料瓶を収容するものとして示されている。しかしながら、本発明によるキャリア内に他の形式の容器を収容することができる。たとえば、様々な容器形状に適応するために、ブランク８の寸法を変更してもよい。
【００２３】
上記のキャリヤ１５０は、１０本の容器Ｃを２×５配置で収容する。しかしながら、ブランク８の形状を調節することにより、追加容器Ｃを収容することができる。たとえば、図１を参照すると、ブランク８の横方向に沿った幅を増加させて、追加列の容器を収容できるようにしてもよい。そのような一実施形態では、２×６配列で配置された１２本の容器を収容するキャリヤを、上記実施形態に従って構成してもよい。
【００２４】
本発明によるブランクは、たとえばコーテッド板紙及び同様な材料から形成されることができる。たとえば、ブランクの内側及び／又は外側をクレーコートで被覆することができる。その場合、クレーコート全体に製品、広告、価格コード及び他の情報又は画像を印刷してもよい。その後、ブランク上に印刷されたすべての情報を保護するために、ブランクにニスを塗ってもよい。たとえば、ブランクの片面又は両面に防湿層も塗布してもよい。
【００２５】
例示的な実施形態によれば、ブランクは、通常の紙より重いと共に剛性を有するようなキャリパの板紙から構成されてもよい。ブランクはまた、ボール紙、硬質紙等の他の材料、又はキャリヤパッケージが少なくともほぼ上記のように機能できるようにするのに適した特性を有する任意の他の材料から構成されることもできる。ブランクの選択パネル又はパネル部分に１つ又は複数のシート状素材を積層する、又はそれらで被覆することもできる。
【００２６】
本明細書の説明で用いられる場合、「分断線」という用語は、材料に形成された切断線(cut line)、引き裂き線又は折り線のいずれか（又は少なくとも１つの切断線、引き裂き線又は折り線の組み合わせ）を包括的に指すために使用されることができる。「破断可能な」分断線は、キャリヤの通常の使用中に破断することが意図される分断線である。破断可能な分断線の一例が、引き裂き線である。
【００２７】
本発明の上記実施形態によれば、折り線は、任意のほぼ直線状であるが、必ずしもまっすぐでない分断線、又はそれに沿って折り曲げやすくする弱め線の形であることができる。
【００２８】
本明細書において、「パネル」又は「フラップ」は、平坦、又は特に平面的である必要はない。「パネル」又は「フラップ」は、たとえば、複数の相互接続されてほぼ平坦又は平面的な部分を有することができる。
【００２９】
上記実施形態は、１つ又は複数のパネルが糊で貼り合わされるように記載されることができる。「糊」という用語は、キャリアパネルを所定位置に固定するために一般的に使用されるすべての接着剤を包含するものとする。
【００３０】
本発明の以上の記載は、本発明を示し、説明している。また、本開示は、本発明の選択された好ましい実施形態だけを示して説明しているが、本発明は、さまざまな他の組み合わせ、変更形態及び環境で使用されることができ、上記教示及び／又は関連技術分野の技術又は知識に対応した、本明細書に記載する発明の概念の範囲に入る変更又は変更形態が可能であることを理解されたい。
【図面の簡単な説明】
【００３１】
【図１】本発明の第１の実施形態によるキャリヤを形成するために使用されるブランクの第１の側面の平面図である。
【図２】キャリヤブランクの一部分の詳細図である。
【図３】キャリヤの組み立て及び装填を示す図である。
【図４】キャリヤの組み立て及び装填を示す図である。
【図５】キャリヤの組み立て及び装填を示す図である。
【図６】組み立て済みキャリヤの斜視図である。
【図７】キャリヤの側面図である。
【図８】キャリヤの底面図である。
【図９】キャリヤの第１の端部の部分分解図である。
【図１】
2009502660.tif 000003
【図２】
2009502660.tif 000004
【図３】
2009502660.tif 000005
【図４】
2009502660.tif 000006
【図５】
2009502660.tif 000007
【図６】
2009502660.tif 000008
【図７】
2009502660.tif 000009
【図８】
2009502660.tif 000010
【図９】
2009502660.tif 000011
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
ラップアラウンドキャリヤに組み立てるためのブランクであって、
上部パネルと、
第１の上側側部パネルと、
第２の上側側部パネルと、
第１の下側側部パネルと、
第２の下側側部パネルと、
前記第１の下側側部パネル及び前記第２の下側側部パネルの少なくとも一方に折り曲げ可能に接続されている少なくとも１つの底部パネルであって、第１の底部パネルを有する、少なくとも１つの底部パネルと、
前記第１の底部パネルの第１の端部に折り曲げ可能に接続されている第１の底部端部フラップと、
前記第１の底部パネルの第２の端部に折り曲げ可能に接続されている第２の底部端部フラップと、
該ブランクの第２の周辺領域の第２の上部端部蓋と、
前記第１の下側側部パネルに折り曲げ可能に接続されている第１の側部端部フラップであって、第１のベース部分と、該第１のベース部分から延出している第１の突出部分とを有する、第１の側部端部フラップと、
前記第２の下側側部パネルに折り曲げ可能に接続されている第２の側部端部フラップであって、第２のベース部分と、該第２のベース部分から延出している第２の突出部分とを有する、第２の側部端部フラップと、
前記上部パネルに折り曲げ可能に接続されている第１の上部端部フラップと、
前記第１の上側側部パネルに折り曲げ可能に接続されている第１の内側折り込みガセットパネルと、
該第１の内側折り込みガセットパネル及び前記第１の上部端部フラップに折り曲げ可能に接続されている第１の外側折り込みガセットパネルと
を備え、
前記第１の突出部分及び前記第２の突出部分は、前記第１の上部端部フラップから離れるように延出する、ブランク。
【請求項２】
最初に、前記第１の突出部分は、前記第１のベース部分から離れる方向に先細になる、請求項１に記載のブランク。
【請求項３】
前記第１の突出部分は、前記第１の底部端部フラップの側縁部の隣りに延在する、請求項１又は２に記載のブランク。
【請求項４】
前記第１の突出部分は、第１の切断線によって前記第１の底部端部フラップから分離される、請求項３に記載のブランク。
【請求項５】
前記第１の突出部分は、前記第１の下側側部パネルの隣りに第１のベベルコーナーによって少なくとも部分的に画定される、請求項３又は４に記載のブランク。
【請求項６】
前記第１の側部端部フラップの前記第１のベース部分は、ほぼ矩形である、請求項１〜５のいずれか１項に記載のブランク。
【請求項７】
前記第１の下側側部パネルは、ほぼ平行な複数の折り線によって画定される第１のベベルパネルを有し、前記第１の突出部分は、該第１のベベルパネルの隣りに延在する、請求項１〜６のいずれか１項に記載のブランク。
【請求項８】
前記第２の突出部分は、ベベルコーナーによって少なくとも部分的に画定され、また、前記第２のベース部分から離れる方向の先細になっており、前記第２の突出部分は、前記第２の底部端部フラップの側部縁部の隣りである、請求項１〜７のいずれか１項に記載のブランク。
【請求項９】
前記少なくとも１つの底部パネルは、第２の底部パネルを有する、請求項１〜８のいずれか１項に記載のブランク。
【請求項１０】
前記第１の下側側部パネルに折り曲げ可能に接続されている第３の側部端部フラップと、
前記第２の下側側部パネルに折り曲げ可能に接続されている第４の側部端部フラップと
をさらに備える、請求項１〜９のいずれか1項に記載のブランク。
【請求項１１】
前記第３の側部端部フラップは、第３のベース部分と、該第３のベース部分から、前記第２の上部端部蓋から離れる方向に延出している第３の突出部分とを有し、該第３の突出部分は、前記第３のベース部分から離れる方向に先細になる、請求項１０に記載のブランク。
【請求項１２】
前記第１の内側折り込みガセットパネルは、切り込み及び切れ目で前記第１の側部端部フラップに接続される、請求項１〜１１のいずれか1項に記載のブランク。
【請求項１３】
前記少なくとも１つの底部パネルは、前記第１の底部パネルを前記第２の底部パネルに固定するための手段を有する、請求項１〜１２のいずれか１項に記載のブランク。
【請求項１４】
前記上部パネル内の少なくとも１つのディスペンサフラップと、
前記第１の下側側部パネルの隣りの少なくとも１つのヒール切り抜き部と、
前記第２の下側側部パネルの隣りの少なくとも１つのヒール切り抜き部と
をさらに備える、請求項１〜１３のいずれか1項に記載のブランク。
【請求項１５】
ラップアラウンドキャリヤに組み立てるためのブランクであって、
上部パネルと、
前記上部パネルに折り曲げ可能に接続されている第１の上側側部パネルと、
前記上部パネルに折り曲げ可能に接続されている第２の上側側部パネルと、
前記第１の上側側部パネルに折り曲げ可能に接続されている第１の下側側部パネルであって、ほぼ平行な複数の折り線によって画定される第１のベベルパネルを有する、第１の下側側部パネルと、
前記第２の上側側部パネルに折り曲げ可能に接続されている第２の下側側部パネルであって、ほぼ平行な複数の折り線によって画定される第２のベベルパネルを有する、第２の下側側部パネルと、
前記第１の下側側部パネル及び前記第２の下側側部パネルの少なくとも一方に折り曲げ可能に接続されている少なくとも１つの底部パネルであって、第１の底部パネルを有する、少なくとも１つの底部パネルと、
前記第１の底部パネルの一端部に折り曲げ可能に接続されている第１の底部端部フラップと、
前記第１の底部パネルの第２の端部に折り曲げ可能に接続されている第２の底部端部フラップと、
該ブランクの第２の周辺領域の第２の上部端部蓋と、
前記第１の下側側部パネルに折り曲げ可能に接続されている第１の側部端部フラップであって、第１のベース部分と、該第１のベース部分から延出している第１の突出部分とを有し、該第１の突出部分は、前記第１のベベルパネルの隣りで延出する、第１の側部端部フラップと、
前記第２の下側側部パネルに折り曲げ可能に接続されている第２の側部端部フラップであって、第２のベース部分と、該第２のベース部分から延出している第２の突出部分とを有する、第２の側部端部フラップと、
前記上部パネルに折り曲げ可能に接続されている第１の上部端部フラップと、
前記第１の上側側部パネルに折り曲げ可能に接続されている第１の内側折り込みガセットパネルと、
該第１の内側折り込みガセットパネル及び前記第１の上部端部フラップに折り曲げ可能に接続されている第１の外側折り込みガセットパネルと
を備え、
前記第１の突出部分は、前記第１のベース部分から、前記第１の上部端部フラップから離れる方向に延出すると共に、前記第１のベース部分から離れる方向に先細になり、また、前記第２の突出部分は、前記第２のベース部分から、前記第１の上部端部フラップから離れる方向に延出する、ブランク。
【請求項１６】
前記第１の突出部分は、前記第１の底部端部フラップの側縁部の隣りで延在する、請求項１５に記載のブランク。
【請求項１７】
前記第１の突出部分は、第１のベベルコーナーによって少なくとも部分的に画定される、請求項１６に記載のブランク。
【請求項１８】
前記第２の突出部分は、前記第１の上部端部フラップから離れる方向に先細になる、請求項１５〜１７のいずれか１項に記載のブランク。
【請求項１９】
前記第２の下側側部パネルに折り曲げ可能に接続されている第３の側部端部フラップであって、第３のベース部分と、該第３のベース部分から延出している第３の先細突出部分とを有する、第３の側部端部フラップと、
前記第２の下側側部パネルに折り曲げ可能に接続されている第４の側部端部フラップであって、第４のベース部分と、該第４のベース部分から、前記第２の上部端部蓋から離れる方向に延出している第４の先細突出部分とを有する、第４の側部端部フラップと
をさらに備える、請求項１５〜１８のいずれか１項に記載のブランク。
【請求項２０】
前記第１の内側折り込みガセットパネルは、切り込み及び切れ目で前記第１の側部端部フラップに接続される、請求項１５〜１９のいずれか1項に記載のブランク。
【請求項２１】
前記上部パネル内の少なくとも１つのディスペンサフラップと、
前記第１の下側側部パネルの隣りの少なくとも１つのヒール切り抜き部と、
前記第２の下側側部パネルの隣りの少なくとも１つのヒール切り抜き部と
をさらに備える、請求項１５〜２０のいずれか１項に記載のブランク。
【請求項２２】
カートンと、
前記カートン内に配置される複数の容器と
を備えるキャリヤであって、該カートンは、
上部パネルと、
第１の上側側部パネルと、
該キャリヤの、前記第１の上側側部パネルと対向して配置される第２の上側側部パネルと、
第１の下側側部パネルと、
該キャリヤの、前記第１の下側側部パネルと対向して配置される第２の下側側部パネルと、
第２の底部パネルに固定される第１の底部パネルを有する底部パネルと、
該キャリヤの第１の端部の第１の端部蓋であって、該第１の端部蓋は、
前記第１の下側側部パネルに折り曲げ可能に接続されている第１の側部端部フラップであって、前記底部パネルの隣りに位置にある第１の底部縁部を有する、第１の側部端部フラップと、
前記底部パネルの隣りに位置にある底部縁部を有する第２の側部端部フラップと、
前記上部パネルに折り曲げ可能に接続されている第１の上部端部フラップと、
前記第１の上側側部パネルに折り曲げ可能に接続されている第１の内側折り込みガセットパネルと、
前記第１の内側折り込みガセットパネルに折り曲げ可能に接続されている第１の外側折り込みガセットパネルと、
前記第１の底部パネルの一端部に折り曲げ可能に接続されている第１の底部端部フラップと
を有する、第１の端部蓋と、
該キャリヤの第２の端部の第２の端部蓋と
を有する、キャリヤ。
【請求項２３】
前記第１の側部端部フラップは、第１のベース部分及び第１の突出部分を有し、前記第１の底部縁部は、前記第１の突出部分の底部縁部である、請求項２２に記載のキャリヤ。
【請求項２４】
前記第１の突出部分は、第１のベベルコーナーによって少なくとも部分的に画定される、請求項２３に記載のキャリヤ。
【請求項２５】
前記第１の側部端部フラップの前記第１のベース部分は、ほぼ矩形である、請求項２３に記載のキャリヤ。
【請求項２６】
前記第１の下側側部パネルは、ほぼ平行な複数の折り線によって画定されている第１のベベルパネルを有し、前記第１の突出部分は、前記第１のベベルパネルの隣りに延在する第１のベベルコーナーによって少なくとも部分的に画定される、請求項２３に記載のキャリヤ。
【請求項２７】
前記第１のベベルパネルは、前記底部パネルに対して第１の角度をなし、前記第１のベベルコーナーは、前記底部パネルに対して第２の角度をなし、前記第１の角度は、前記第２の角度以上の大きさである、請求項２６に記載のキャリヤ。
【請求項２８】
最初に、前記第１の側部端部フラップは、前記底部パネルの近くで先細になる、請求項２２〜２７のいずれか１項に記載のキャリヤ。
【請求項２９】
前記第１の底部縁部は、前記底部パネルに当接する、請求項２２〜２８のいずれか１項に記載のキャリヤ。
【請求項３０】
前記第２の端部蓋は、
前記第１の下側側部パネルに折り曲げ可能に接続されている第３の側部端部フラップであって、該第３の側部端部フラップの第３の底部縁部は、前記底部パネルの隣りにある、第３の側部端部フラップと、
前記第２の下側側部パネルに折り曲げ可能に接続されている第４の側部端部フラップと
を有する、請求項２２〜２９のいずれか１項に記載のキャリヤ。
【請求項３１】
前記第１の内側折り込みガセットパネルは、切り込み及び切れ目で前記第１の側部端部フラップに接続される、請求項３０に記載のキャリヤ。
【請求項３２】
前記上部パネル内の少なくとも１つのディスペンサフラップと、
前記第１の下側側部パネルの隣りの少なくとも１つのヒール切り抜き部と、
前記第２の下側側部パネルの隣りの少なくとも１つのヒール切り抜き部と
をさらに備える、請求項２２〜３１のいずれか１項に記載のキャリヤ。
【請求項３３】
前記複数の容器は、少なくとも縦２列及び少なくとも横３列に配置された少なくとも６本の容器である、請求項２２〜３２のいずれか１項に記載のキャリヤ。
【手続補正２】
【補正対象書類名】明細書
【補正対象項目名】０００３
【補正方法】変更
【補正の内容】
【０００３】
［概要］
本発明の第１の実施形態によれば、キャリヤパッケージは、カートン及び複数の容器を有する。カートンは、上部パネルと、第１の上側側部パネルと、第２の上側側部パネルと、第１の下側側部パネルと、第２の下側側部パネルと、底部パネルと、キャリヤの第１の端部の第１の端部蓋と、キャリヤの第２の端部の第２の端部蓋とを有する。端部蓋は、それぞれの下側側部パネルに折り曲げ可能に接続される側部端部フラップを有することができ、側部端部フラップは、底部パネルに隣接する位置にある底部縁部を有する。カートンの組み立て中、側部端部フラップの底部縁部は、カートンを所望形状にする（たとえば、カートンを「垂直に起立させる(squaring up)」にする）働きをすることができる。側部端部フラップ及び上部端部蓋は、カートンの端部をほぼ包み込む働きをする。
第1実施形態の一態様によると、第１の端部蓋は、さらに前記上部パネルに折り曲げ可能に接続されている第１の上部端部フラップと、前記第１の上側側部パネルに折り曲げ可能に接続されている第１の内側折り込みガセットパネルと、該第１の内側折り込みガセットパネルに折り曲げ可能に接続されている第１の外側折り込みガセットパネルとを備える。
第１の実施形態の別の態様によると、第１の側部端部フラップは、第１のベース部分と、第１の突出部分とを有し、第１の底部縁部は、前記第１の突出部分の底部縁部である。
本発明の一態様によると、第１のカートンの実施形態を形成するために使用されるブランクは、上部パネルと、第１の上側側部パネルと、第２の上側側部パネルと、第１の下側側部パネルと、第２の下側側部パネルと、前記第１の下側側部パネル及び前記第２の下側側部パネルの少なくとも一方に折り曲げ可能に接続されている少なくとも１つの底部パネルと、前記ブランクの第１の周辺領域の第１の上部端部蓋と、前記ブランクの第２の周辺領域の第２の上部端部蓋と、第１の下側側部パネルに折り曲げ可能に接続されている第１の側部端部プラップと、を有し、前記第１の側部端部フラップは第１のベース部分と、前記第１のベース部分から、前記第１の上部端部蓋から離れる方向に延びる第１の突出部分と、を有する。
第１の実施形態の一態様によると、少なくとも一つの底部パネルは第１の底部パネルを有し、前記ブランクはさらに、前記第１の底部パネルに折り曲げ可能に接続されている第１の底部端部フラップを有する。
第１の実施形態の別の態様によると、前記ブランクの前記第１の突出部分は、前記第１の底部端部フラップの側部縁部の隣りに延在する。
第１の実施形態の別の態様によると、前記ブランクはさらに第２の下側側部パネルに折り曲げ可能に接続される第２の側部端部フラップを有し、前記第２側部端部フラップは第２のベース部分と、前記第２のベース部分から、前記第１の上部端部蓋から離れる方向に延在する。
第１の実施形態のさらに別の態様によると、前記ブランクの前記少なくとも一つの底部パネルは第２の底部パネルを有し、前記ブランクはさらに第１の底部パネルに折り曲げ可能に接続される第２の底部端部フラップを有し、前記第２の突出部分ｆは前記第２の底部端部フラップの側部縁部の隣りに延在する。
第１の実施形態のさらに別の態様によると、前記ブランクの前記第１の上部端部蓋は、前記上部パネルに折り曲げ可能に接続される上部端部フラップと、前記第１の上側側部パネルに折り曲げ可能に接続される第１の内側折り込みガセットパネルと、前記第１の内側折り込みガセットパネルに折り曲げ可能に接続される第１の外側折り込みガセットパネルとを有する。前記第１の内側折り込みガセットパネルは切り込み及び切れ目で前記第１の側部端部フラップに接続される。
第１の実施形態のまた別の態様によると、前記ブランクは、前記上部パネルに少なくとも一つのディスペンサフラップと、前記第１の下側側部パネルの隣りの少なくとも一つのヒール切り抜き部と、前記第２の下側側部パネルの隣りの少なくとも一つのヒール切り抜き部と、を有する。
第１の実施形態のまた別の態様によると、前記ブランクの前記第１の下側側部パネルは、ほぼ平行な折り線により画成される第１のベベルパネルを有し、前記第２の下側側部パネルは、ほぼ平行な折り線により画成される第２のベベルパネルを有する。
【国際調査報告】
2009502660.tif 000012
2009502660.tif 000013
2009502660.tif 000014